(57)【要約】      （修正有）【課題】第一雄端子又は第二雄端子が誤組み付けされることを防ぐ。【解決手段】ハウジング５０で、フランジ部１３の径はフランジ部１２の径及びフランジ部３２の径よりも小さく、フランジ部３３の径はフランジ部１３の径よりも小さく、フランジ部３３の長さはフランジ部１３の長さよりも大きく、収容部６２は収容部６４と収容部６３とを備え、収容部６４の内部空間と収容部６３の内部空間とは連通し、収容部６４の内径は本体部１１の外径よりも大きく且つフランジ部３３の径よりも小さく、収容部６３の内径はフランジ部１３の径よりも大きく且つフランジ部１２の径よりも小さく、収容部６３の長さはフランジ部１３の長さよりも大きく且つフランジ部３３の長さよりも小さく、収容部７２の径はフランジ部３３の径よりも大きく且つフランジ部１３の径よりも小さくなっている。【選択図】図８
2018195450.tif 000002
【特許請求の範囲】
【請求項１】
前後方向に延び、棒状をなす第一雄側本体部と、前記第一雄側本体部の後方に周設された第一後側フランジ部と、前記第一後側フランジ部の前側に周設され、前記第一後側フランジ部と段差をもって連なる第一前側フランジ部とを備える第一雄端子と、
前後方向に延び、棒状をなす第二雄側本体部と、前記第二雄側本体部の後方に周設された第二後側フランジ部と、前記第二後側フランジ部の前側に周設され、前記第二後側フランジ部と段差をもって連なる第二前側フランジ部とを備える第二雄端子と、
前記第一雄端子が後方から挿入される第一前側フランジ収容部と、前記第二雄端子が後方から挿入される第二前側フランジ収容部とを備えるコネクタハウジングと、を備えるコネクタであって、
前記第一前側フランジ部の径は、前記第一後側フランジ部の径及び前記第二後側フランジ部の径よりも小さい径となっており、
前記第二前側フランジ部の径は、前記第一前側フランジ部の径よりも小さい径となっており、
前記第二前側フランジ部の長さは、前記第一前側フランジ部の長さよりも大きくなっており、
前記第一前側フランジ収容部は、前方の前側収容部と後方の後側収容部とを備え、前記前側収容部の内部空間と前記後側収容部の内部空間とは連通しており、
前記前側収容部の内径は前記第一雄側本体部の外径よりも大きく、且つ前記第二前側フランジ部の径よりも小さくなっており、
前記後側収容部の内径は前記第一前側フランジ部の径よりも大きく、且つ前記第一後側フランジ部の径よりも小さくなっており、
前記後側収容部の長さは前記第一前側フランジ部の長さよりも大きく、且つ前記第二前側フランジ部の長さよりも小さくなっており、
前記第二前側フランジ収容部の径は、前記第二前側フランジ部の径よりも大きく、且つ前記第一前側フランジ部の径よりも小さくなっているコネクタ。
【請求項２】
前記コネクタハウジングは、前記コネクタハウジングの後方から装着されるリテーナを備え、前記リテーナは、板状をなすリテーナ本体部を有しており、
前記リテーナ本体部は、前記リテーナ本体部の前側面から前方に突出する第一突起部と、前記リテーナ本体部の前端面から前方に突出する第二突起部とを備え、
前記第一突起部は前記第一後側フランジ部と当接しており、前記第二突起部は前記第二後側フランジ部と当接している請求項１に記載のコネクタ。
【発明の詳細な説明】
【技術分野】
【０００１】
本明細書によって開示される技術は、コネクタに関する。
【背景技術】
【０００２】
従来のコネクタの一例として、特開２０１４−１５４３７７号公報（下記特許文献１）に記載の充電コネクタが知られている。この充電コネクタは、電源側ハウジングと、２つの雄端子とを備えている。２つの雄端子は、一方が電源のプラス側に接続されるパワー用の雄端子であり、他方がマイナス側に接続されるアース用の雄端子である。パワー用の雄端子及びアース用雄端子は、同様の構成とされており、電源側ハウジングに備えられている端子収容部にそれぞれ収容されている。
【先行技術文献】
【特許文献】
【０００３】
【特許文献１】特開２０１４−１５４３７７号公報
【発明の概要】
【発明が解決しようとする課題】
【０００４】
しかしながら、パワー用の雄端子とアース用の雄端子とは同様の構成のため、例えばパワー用の雄端子がアース用の雄端子が収容される端子収容部に挿入されるといった誤組付けが生じることが問題となっていた。
【課題を解決するための手段】
【０００５】
本明細書で開示されるコネクタは、前後方向に延び、棒状をなす第一雄側本体部と、前記第一雄側本体部の後方に周設された第一後側フランジ部と、前記第一後側フランジ部の前側に周設され、前記第一後側フランジ部と段差をもって連なる第一前側フランジ部とを備える第一雄端子と、前後方向に延び、棒状をなす第二雄側本体部と、前記第二雄側本体部の後方に周設された第二後側フランジ部と、前記第二後側フランジ部の前側に周設され、前記第二後側フランジ部と段差をもって連なる第二前側フランジ部とを備える第二雄端子と、前記第一雄端子が後方から挿入される第一前側フランジ収容部と、前記第二雄端子が後方から挿入される第二前側フランジ収容部とを備えるコネクタハウジングと、を備えるコネクタであって、前記第一前側フランジ部の径は、前記第一後側フランジ部の径及び前記第二後側フランジ部の径よりも小さい径となっており、前記第二前側フランジ部の径は、前記第一前側フランジ部の径よりも小さい径となっており、前記第二前側フランジ部の長さは、前記第一前側フランジ部の長さよりも大きくなっており、前記第一前側フランジ収容部は、前方の前側収容部と後方の後側収容部とを備え、前記前側収容部の内部空間と前記後側収容部の内部空間とは連通しており、前記前側収容部の内径は前記第一雄側本体部の外径よりも大きく、且つ前記第二前側フランジ部の径よりも小さくなっており、前記後側収容部の内径は前記第一前側フランジ部の径よりも大きく、且つ前記第一後側フランジ部の径よりも小さくなっており、前記後側収容部の長さは前記第一前側フランジ部の長さよりも大きく、且つ前記第二前側フランジ部の長さよりも小さくなっており、前記第二前側フランジ収容部の径は、前記第二前側フランジ部の径よりも大きく、且つ前記第一前側フランジ部の径よりも小さくなっている。
このように構成することで、例えば、第一雄端子が第二前側フランジ収容部に誤って挿入された場合、第一後側フランジ部の前後方向の位置は、第一雄端子が第一前側フランジ収容部に収容された場合と比較して、後方の位置となる。従って、第一後側フランジ部の前後方向の位置により、第一雄端子が誤組付けされたか否かを判別することができるので、第一雄端子が誤組付けされることを防ぐことができる。
また、第二雄端子が第一前側フランジ収容部に誤って挿入された場合、第二後側フランジ部の前後方向の位置は、第二雄端子が第二前側フランジ収容部に収容された場合と比較して、後方の位置となる。従って、第二後側フランジ部の前後方向の位置により、第二雄端子が誤組付けされたか否かを判別することができるので、第二雄端子が誤組付けされることを防ぐことができる。
【０００６】
また、前記コネクタハウジングは、前記コネクタハウジングの後方から装着されるリテーナを備え、前記リテーナは、板状をなすリテーナ本体部を有しており、
前記リテーナ本体部は、前記リテーナ本体部の前側面から前方に突出する第一突起部と、前記リテーナ本体部の前端面から前方に突出する第二突起部とを備え、
前記第一突起部は前記第一後側フランジ部と当接しており、前記第二突起部は前記第二後側フランジ部と当接していることとしても良い。
としても良い。
このように構成することで、例えば、第一雄端子が第二前側フランジ収容部に誤って挿入された場合、リテーナの第二突起部が第一後側フランジ部の後方から当接されるので、リテーナの前後方向の位置は、第一雄端子が第一前側フランジ収容部に収容された場合と比較して、後方の位置となる。
また、第二雄端子が第一前側フランジ収容部に誤って挿入された場合、リテーナの第一突起部が第二後側フランジ部の後方から当接されるので、リテーナの前後方向の位置は、第二雄端子が第二前側フランジ収容部に収容される場合と比較して、後方の位置となる。
従って、リテーナの前後方向の位置により、第一雄端子又は第二雄端子が誤組付けされたか否かを検知することができる。
【発明の効果】
【０００７】
本明細書に開示されるコネクタよれば、第一雄端子又は第二雄端子が誤組み付けされることを防ぐことができる。
【図面の簡単な説明】
【０００８】
【図１】コネクタの右側面図
【図２】コネクタの正面図
【図３】コネクタハウジングの右側面図
【図４】コネクタハウジングの正面図
【図５】コネクタハウジングの背面図
【図６】図５の正常組付け時におけるＡ−Ａ断面図
【図７】図５の正常組付け時におけるＢ−Ｂ断面図
【図８】図６における第一前側フランジ収容部及び第二前側フランジ収容部付近の拡大図
【図９】図８における正常組付けの簡略図
【図１０】図５の誤常組付け時におけるＡ−Ａ断面図
【図１１】図５の誤常組付け時におけるＢ−Ｂ断面図
【図１２】図１０における第一前側フランジ収容部及び第二前側フランジ収容部付近の拡大図
【図１３】図１２における誤組付けの簡略図
【発明を実施するための形態】
【０００９】
＜実施形態＞
図１から図１３を参照して本実施形態を説明する。
本実施形態のコネクタ１は、図１から図３に示すように、ＥＶ等の充電に使用される充電コネクタであって、１つの第一雄端子１０と、２つの第二雄端子３０と、第一雄端子１０及び第二雄端子３０が挿入されるコネクタハウジング５０と、コネクタハウジング５０の後方から装着されるリテーナ８０とを備えている。第一雄端子１０はアース端子として用いられ、第二雄端子３０はパワー端子として用いられている。コネクタ１は、図示しない充電インレットと嵌合される。以降の説明では、図１から図１３におけるＸ方向を前方、Ｙ方向を右方向とする。
【００１０】
第一雄端子１０は、図６に示すように、金属棒材を切削加工することにより形成されており、前後方向に延び、棒状をなす第一雄側本体部１１と、第一後側フランジ部１２と、第一前側フランジ部１３とを備えている。第一後側フランジ部１２は円板状をなしており、第一雄側本体部１１の後端部に周設されている。第一前側フランジ部１３は、円環状をなしており、第一後側フランジ部１２の前側に周設され、第一後側フランジ部１２と段差をもって連なっている。
【００１１】
第一雄端子１０は、図６に示すように、第一雄側本体部１１の後端部から後方に延びる第一電線接続部１４を備えている。第一電線接続部１４は、所謂クローズドバレル形式であって、図示しない電線が圧着により接続されている。
【００１２】
第二雄端子３０は、図６に示すように、金属棒材を切削加工することにより形成されており、前後方向に延び棒状をなす第二雄側本体部３１と、第二後側フランジ部３２と、第二前側フランジ部３３とを備えている。第二後側フランジ部３２は円板状をなしており、第二雄側本体部３１の後端部に周設されている。第二前側フランジ部３３は、円環状をなしており、第二後側フランジ部３２の前側に周設され、第二後側フランジ部３２と段差をもって連なっている。
【００１３】
第二電線接続部３４は、図６に示すように、所謂クローズドバレル形式であって、図示しない電線が圧着により接続されている。第二雄側本体部３１の前端部には、圧入孔３５が開口している。圧入孔３５には、樹脂キャップ３６が圧入されている。
【００１４】
図８、図９に示すように、第一雄端子１０及び第二雄端子３０の各部位の寸法は、以下の（Ａ）から（Ｇ）の要件を満たしている。
（Ａ）第一雄側本体部１１の外径Ｒａ１＜第一前側フランジ部１３の径Ｒｃ１
（Ｂ）第二雄側本体部３１の外径Ｒａ２＜第二前側フランジ部３３の径Ｒｃ２
（Ｃ）第一前側フランジ部１３の径Ｒｃ１＜第一後側フランジ部１２の径Ｒｂ１
（Ｄ）第一前側フランジ部１３の径Ｒｃ１＜第二後側フランジ部３２の径Ｒｂ２
（Ｅ）第二前側フランジ部３３の径Ｒｃ２＜第一前側フランジ部１３の径Ｒｃ１
（Ｆ）第一前側フランジ部１３の長さＬｃ１＜第二前側フランジ部３３の長さＬｃ２
（Ｇ）第一後側フランジ部１２の長さＬｂ１＝第二後側フランジ部３２の長さＬｂ２（但し、完全に同一でなくても良く、例えば、切削加工等の誤差による差異はあっても良い。）
コネクタハウジング５０は、図３、図６に示すように、前後方向の延びる略円柱状をなしており、第一雄端子１０を収容する１つの第一キャビティ６０と、第二雄端子３０が収容される２つの第二キャビティ７０と、を備えている。２つの第二キャビティ７０は、図５、図６に示すように、コネクタハウジング５０の後端部の上下方向の中央付近に、左右に並べて配されている。第一キャビティ６０は、２つの第二キャビティ７０の間に配されている。
【００１５】
第一キャビティ６０は、図６に示すように、第一雄側本体部１１が収容される第一本体収容部５１と、第一電線収容部６１と、第一前側フランジ収容部６２とを備えている。第一本体収容部５１の内部空間と、第一電線収容部６１の内部空間と、第一前側フランジ収容部６２の内部空間とは連通している。第一電線収容部６１は、コネクタハウジング５０の後方に開口して円筒状に設けられている。第一前側フランジ収容部６２は第一電線収容部６１の前端に位置し、円筒状に開口して設けられた後側収容部６３と、後側収容部６３の前側に連なって開口して設けられた前側収容部６４とを備えている。第一本体収容部５１は、図２、図４、図６に示すように、コネクタハウジング５０の前方に開口して円筒状に設けられている。
【００１６】
第二キャビティ７０は、図６に示すように、第二雄側本体部３１が収容される第二本体収容部５２と、第二電線収容部７１と、第二前側フランジ収容部７２とを備えている。第二本体収容部５２の内部空間と、第二電線収容部７１の内部空間と、第二前側フランジ収容部７２の内部空間とは連通している。第二電線収容部７１は、コネクタハウジング５０の後方に開口して円筒状に設けられている。第二前側フランジ収容部７２は、第二電線収容部７１の前端に位置し、円筒状に開口して設けられている。第二本体収容部５２は、図２、図４、図６に示すように、コネクタハウジング５０の前方に開口して円筒状に設けられている。
【００１７】
図８、図９、図１２、図１３に示すように、第一前側フランジ収容部６２及び第二前側フランジ収容部７２の寸法は、以下の（Ｈ）から（Ｏ）の要件を満たしている。
（Ｈ）第一雄側本体部１１の外径Ｒａ１＜前側収容部６４の内径Ｒｅ１
（Ｉ）前側収容部６４の内径Ｒｅ１＜第二前側フランジ部３３の径Ｒｃ２
（Ｊ）第一前側フランジ部１３の径Ｒｃ１＜後側収容部６３の内径Ｒｄ１
（Ｋ）後側収容部６３の内径Ｒｄ１＜第一後側フランジ部１２の径Ｒｂ１
（Ｌ）第一前側フランジ部１３の長さＬｃ１＜後側収容部６３の長さＬｄ１
（Ｍ）後側収容部６３の長さＬｄ１＜第二前側フランジ部３３の長さＬｃ２
（Ｎ）第二前側フランジ部３３の径Ｒｃ２＜第二前側フランジ収容部７２の内径Ｒｄ２
（Ｏ）第二前側フランジ収容部７２の内径Ｒｄ２＜第一前側フランジ部１３の径Ｒｃ１
第一雄端子１０は、図６に示すように、コネクタハウジング５０の第一キャビティ６０に挿通されている。第一後側フランジ部１２は、図８、図９に示すように、第一前側フランジ収容部６２の後側収容部６３の開口縁に当接している（上記要件Ｊ、Ｋ、Ｌ）。
【００１８】
２つの第二雄端子３０は、図６に示すように、コネクタハウジング５０の第二キャビティ７０にそれぞれ挿通されている。第二雄端子３０の第二後側フランジ部３２は、図８、図９に示すように、第二前側フランジ収容部７２の開口縁に当接している（上記要件Ｄ、Ｎ、Ｏ）。
【００１９】
コネクタハウジング５０は、図５、図７に示すように、４つの凸部５３を備えている。４つの凸部５３は、コネクタハウジング５０の外周面から突出して設けられており、後述するリテーナ８０の４つのロック溝８７と嵌合される。
【００２０】
リテーナ８０は、図５、図６に示すように、コネクタハウジング５０の後方から装着されており、略円板状をなすリテーナ本体部８１と、リテーナ本体部８１から前方に開口するフード部８６とを備えている。リテーナ本体部８１は、１つの第一電線挿通孔８２と、２つの第二電線挿通孔８４とを備えている。
【００２１】
第一電線挿通孔８２は、図５、図６に示すように、コネクタハウジング５０の第一キャビティ６０と対応する位置に開口している。第一電線挿通孔８２には、第一雄端子１０の第一電線接続部１４に接続された図示しない電線が挿通されている。リテーナ本体部８１には、第一電線挿通孔８２の開口縁から前方に突出する第一突起部８３が備えられている。第一突起部８３は、第一雄端子１０の第一後側フランジ部１２に当接している。
【００２２】
２つの第二電線挿通孔８４は、図５、図６に示すように、コネクタハウジング５０の第二キャビティ７０と対応する位置に開口している。第二電線挿通孔８４には、第二雄端子３０の第二電線接続部３４に接続された図示しない電線が挿通されている。リテーナ本体部８１には、第二電線挿通孔８４の開口縁から前方に突出する第二突起部８５が備えられている。第二突起部８５は、第二雄端子３０の第二後側フランジ部３２に当接している。第一突起部８３と第二突起部８５の前後方向の長さは同じ長さとなっている。
【００２３】
フード部８６の内周には、図５、図７に示すように、コネクタハウジング５０の４つの凸部５３と対応する位置に、溝状をなす４つのロック溝８７が設けられている。コネクタハウジング５０の４つの凸部５３と、リテーナ８０の４つのロック溝８７とは嵌合されており、リテーナ８０はコネクタハウジング５０に固定されている。
【００２４】
次に、本実施形態の作用について説明する。
図１０に示すように、左側の第二キャビティ７０に第一雄端子１０が誤って挿通され、中央の第一キャビティ６０に第二雄端子３０が誤って挿通されたとする。すると、図１２、図１３に示すように、第一前側フランジ部１３は、第二前側フランジ収容部７２の開口縁に当接する（上記要件Ｏ）。従って、図９、図１３に示すように、第二雄端子３０が第二前側フランジ収容部７２に挿通された場合の第二雄端子３０の前後方向の位置と比べて、第一雄端子１０の位置は、第一前側フランジ部１３の長さＬｃ１分だけ後方にずれ込むこととなる。また、第二前側フランジ部３３は、前側収容部６４の開口縁に当接する（上記要件Ｉ）。これにより、第二雄端子３０の位置は、図９、図１３に示すように、第一雄端子１０が第一前側フランジ収容部６２に挿通された場合の前後方向の位置と比べて、第二前側フランジ部３３の長さＬｃ２から後側収容部６３の長さＬｄ１を引いた長さＬｓ分だけ後方にずれ込むこととなる（上記要件Ｍ）。
【００２５】
従って、第一雄端子１０又は第二雄端子３０が誤ったキャビティに（すなわち第一雄端子１０が第二キャビティ７０に、第二雄端子３０が第一キャビティ６０に）挿入されても、誤って挿入された雄端子の前後方向の位置は後方にずれ込むこととなるため、第一雄端子１０又は第二雄端子３０が誤組付けされたことを判別することができる。
【００２６】
次に、図１０、図１１に示すように、左側の第二キャビティ７０に第一雄端子１０が誤って挿通され、第一キャビティ６０に第二雄端子３０が誤って挿通された状態で、リテーナ８０を装着するとする。ここで、図１３に示すように、第一前側フランジ部１３の長さＬｃ１は、長さＬｓよりも長くなっているとする。この時、リテーナ８０の第二突起部８５が第一雄端子１０の第一後側フランジ部１２に先に当接するため、リテーナ８０の位置は、第一雄端子１０及び第二雄端子３０が第一キャビティ６０及び第二キャビティ７０にそれぞれ正しく挿通された場合のリテーナ８０の位置と比較して、第一前側フランジ部１３の長さＬｃ１分だけ後方にずれ込むこととなる。これにより、図１１に示すように、リテーナ８０ａの４つのロック溝８７ａが、コネクタハウジング５０の凸部５３と嵌合される位置まで、リテーナ８０ａを前方に押し込むことができない。従って、リテーナ８０ａはコネクタハウジング５０に装着できないことから、第一雄端子１０又は第二雄端子３０が誤って挿入されたことを検知することができる。
【００２７】
図示しないものの、第一前側フランジ部１３の長さＬｃ１は、長さＬｓよりも短い場合についても同様に、リテーナ８０は後方に長さＬｓ分だけずれ込むため、リテーナ８０はコネクタハウジング５０に装着できないことから、第一雄端子１０又は第二雄端子３０が誤って挿入されたことを検知することができる。
【００２８】
図示しないものの、３つのキャビティのうち、２つの第二キャビティ７０に２つの第二雄端子３０が正規に挿通され、第一キャビティ６０に第二雄端子３０が誤って挿通された場合についても同様に、リテーナ８０は後方に長さＬｓ分だけずれ込むため、リテーナ８０はコネクタハウジング５０に装着できないことから、第二雄端子３０が誤って挿入されたことを検知することができる。
【００２９】
図示しないものの、３つのキャビティのうち、第一キャビティ６０に第一雄端子１０が正規に挿通され、２つの第二キャビティ７０のいずれかに第一雄端子１０が誤って挿通された場合についても同様に、リテーナ８０は後方に第一前側フランジ部１３の長さＬｃ１分だけずれ込む。そのため、リテーナ８０はコネクタハウジング５０に装着できないことから、第一雄端子１０が誤って挿入されたことを検知することができる。また、２つの第二キャビティ７０の双方に第一雄端子１０が挿通された場合についても同様である。
【００３０】
以上のように本実施形態によれば、例えば、第一雄端子１０が第二前側フランジ収容部７２に誤って挿入された場合、第一後側フランジ部の前後方向の位置は、第一雄端子が第一前側フランジ収容部６２に収容された場合と比較して、後方の位置となる。従って、第一後側フランジ部１２の前後方向の位置により、第一雄端子１０が誤組付けされたか否かを判別することができるので、第一雄端子１０が誤組付けされることを防ぐことができる。
また、第二雄端子３０が第一前側フランジ収容部６２に誤って挿入された場合、第二後側フランジ部３２の前後方向の位置は、第二雄端子３０が第二前側フランジ収容部７２に収容された場合と比較して、後方の位置となる。従って、第二後側フランジ部３２の前後方向の位置により、第二雄端子３０が誤組付けされたか否かを判別することができるので、第二雄端子３０が誤組付けされることを防ぐことができる。
【００３１】
また、例えば、第一雄端子１０が第二前側フランジ収容部７２に誤って挿入された場合、リテーナ８０の第二突起部８５が第一後側フランジ部１２の後方から当接されるので、リテーナ８０の前後方向の位置は、第一雄端子１０が第一前側フランジ収容部６２に収容された場合と比較して、後方の位置となる。
また、第二雄端子３０が第一前側フランジ収容部６２に誤って挿入された場合、リテーナの第一突起部８３が第二後側フランジ部３２の後方から当接されるので、リテーナ８０の前後方向の位置は、第二雄端子３０が第二前側フランジ収容部に収容される場合と比較して、後方の位置となる。
従って、リテーナ８０の前後方向の位置により、第一雄端子１０又は第二雄端子３０が誤組付けされたか否かを検知することができる。
【００３２】
＜他の実施形態＞
本明細書によって開示される技術は上記記述及び図面によって説明した実施形態に限定されるものではなく、例えば次のような種々の態様も含まれる。
（１）上記実施形態では、第一雄端子１０をアース端子、第二雄端子３０をパワー端子としたが、第一雄端子１０をパワー端子、第二雄端子３０をアース端子としても良い。
（２）上記実施形態では、コネクタ１はＥＶ等に使用される充電コネクタとしたが、他の用途に用いられるコネクタであっても良い。
（３）上記実施形態では、リテーナ８０によって第一雄端子１０又は第二雄端子３０の誤組付けを検知していたが、例えば、リテーナ８０を装着しないコネクタの場合には、直接、第一雄端子１０及び第二雄端子３０の前後方向の位置を測定することで誤組付けを検知しても良い。
（４）上記実施形態では、リテーナ８０のロック溝８７とコネクタハウジング５０の凸部５３との嵌合の可否で、第一雄端子１０又は第二雄端子３０の誤組付けを検知していたが、例えば、リテーナ８０の前後方向の位置を測定することにより誤組付けを検知しても良い。
（５）上記実施形態では、コネクタハウジング５０に第一キャビティ６０が１つ、第二キャビティ７０が２つ設けられていたが、第一キャビティ６０及び第二キャビティ７０の数はいくつでも良い。
【符号の説明】
【００３３】
１…コネクタ
１０…第一雄端子
１１…第一雄側本体部
１２…第一後側フランジ部
１３…第一前側フランジ部
３０…第二雄端子
３１…第二雄側本体部
３２…第二後側フランジ部
３３…第二前側フランジ部
５０…コネクタハウジング
５１…第一本体収容部
５２…第二本体収容部
５３…凸部
６２…第一前側フランジ収容部
６３…後側収容部
６４…前側収容部
７２…第二前側フランジ収容部
８０，８０ａ…リテーナ
８１…リテーナ本体部
８３…第一突起部
８５…第二突起部
Ｒａ１…第一雄側本体部の外径
Ｒｂ１…第一後側フランジ部の径
Ｒｃ１…第一前側フランジ部の径
Ｌｃ１…第一前側フランジ部の長さ
Ｒｂ２…第二後側フランジ部の径
Ｒｃ２…第二前側フランジ部の径
Ｌｃ２…第二前側フランジ部の長さ
Ｒｄ１…後側収容部の内径
Ｌｄ１…後側収容部の長さ
Ｒｅ１…前側収容部の内径
Ｒｄ２…第二フランジ収容部の内径
【図１】
2018195450.tif 000003
【図２】
2018195450.tif 000004
【図３】
2018195450.tif 000005
【図４】
2018195450.tif 000006
【図５】
2018195450.tif 000007
【図６】
2018195450.tif 000008
【図７】
2018195450.tif 000009
【図８】
2018195450.tif 000010
【図９】
2018195450.tif 000011
【図１０】
2018195450.tif 000012
【図１１】
2018195450.tif 000013
【図１２】
2018195450.tif 000014
【図１３】
2018195450.tif 000015